(57)【要約】【課題】付箋紙の糊付け部分が搬送ローラーに貼り付いて装置内等に巻き込まれることを防ぐことのできる搬送ローラー、搬送ローラーを有する付箋紙供給装置及び付箋紙供給装置を有する付箋紙プリンターを提供すること。【解決手段】付箋紙供給装置１３の搬送ローラーであるピックアップローラー５２のロール面６５ａに難粘着性の表面処理、例えばフッ素系コート剤による表面の処理等種々の方法のいずれかがなされている。これにより、付箋紙４ａが引き剥がされ糊付け部分４ｂが搬送される際に、ピックアップローラー５２に貼り付いて付箋紙プリンター１内に巻き込まれることを防ぐことができる。【選択図】図２
2011184117.tif 000002
【特許請求の範囲】
【請求項１】
一端部を剥離可能に部分糊付けした多数枚の付箋紙を積層した付箋紙束のうち、最上位に位置する付箋紙に回転しながら接触して前記付箋紙束から前記付箋紙を分離し、ローラー本体のロール面上に前記付箋紙を載せて搬送する搬送ローラーであって、
前記ロール面は難粘着性の構造を有することを特徴とする搬送ローラー。
【請求項２】
前記ローラー本体の前記ロール面は、前記付箋紙の糊付け部分の粘着力が当該付箋紙の撓み剛性よりも小さくなるようにすることを特徴とする請求項１に記載の搬送ローラー。
【請求項３】
前記ローラー本体の前記ロール面は、難粘着性コート剤による表面処理が施されていることを特徴とする請求項１及び請求項２のいずれか一項に記載の搬送ローラー。
【請求項４】
前記ローラー本体の前記ロール面は、凹凸形状を有することを特徴とする請求項１及び請求項２のいずれか一項に記載の搬送ローラー。
【請求項５】
前記ローラー本体の前記ロール面は、シリコーンゴムで形成されることを特徴とする請求項１及び請求項２のいずれか一項に記載の搬送ローラー。
【請求項６】
前記付箋紙束を着脱自在に保持する付箋紙ホルダーと、
前記付箋紙ホルダーの前記付箋紙束から前記付箋紙を分離して搬送する請求項１から請求項５までのいずれか一項に記載の搬送ローラーと、
を備えることを特徴とする付箋紙供給装置。
【請求項７】
請求項６に記載の付箋紙供給装置と、
前記付箋紙供給装置から供給される前記付箋紙に印刷を行う付箋紙印刷装置と、
を備えることを特徴とする付箋紙プリンター。
【発明の詳細な説明】
【技術分野】
【０００１】
本発明は、付箋紙を移送するための搬送ローラーと、多数枚の付箋紙を積層した付箋紙束から付箋紙を引き剥がして給紙する付箋紙供給装置と、供給された付箋紙に印刷を施す付箋紙プリンターとに関する。
【背景技術】
【０００２】
付箋紙供給装置を有する付箋紙プリンターとして、付箋紙を移送する搬送ローラー（摩擦ローラー）を有し、搬送ローラーが付箋紙供給装置において付箋紙束から付箋紙を一枚ずつ捲り上げて引き剥がす機能を兼ねるものが知られている（例えば特許文献１〜５等参照）。
【先行技術文献】
【特許文献】
【０００３】
【特許文献１】特開２００３−１１４３６号公報
【特許文献２】特開２００３−１１４３７号公報
【特許文献３】特開２００３−８１４５５号公報
【特許文献４】特開２００３−８１４５７号公報
【特許文献５】特開２００３−２１２３６７号公報
【発明の概要】
【発明が解決しようとする課題】
【０００４】
しかし、上記いずれの特許文献に記載の搬送ローラーも、付箋紙束から付箋紙を一旦引き剥がした後は、付箋紙の糊付け部分が露出した状態となるため、付箋紙が搬送ローラーによって搬送される際に搬送ローラーの表面に貼り付き、搬送ローラーを有する装置部分が付箋紙を巻き込んでしまう場合がある。
【０００５】
そこで、本発明は、付箋紙の糊付け部分が露出した状態となっても当該付箋紙が貼り付いて装置内等に巻き込まれることを確実に防ぐことのできる搬送ローラー、かかる搬送ローラーを有する付箋紙供給装置及びかかる付箋紙供給装置を有する付箋紙プリンターを提供することを目的とする。
【課題を解決するための手段】
【０００６】
上記課題を解決するため、本発明に係る搬送ローラーは、（ａ）一端部を剥離可能に部分糊付けした多数枚の付箋紙を積層した付箋紙束のうち、最上位に位置する付箋紙に回転しながら接触して付箋紙束から付箋紙を分離し、ローラー本体のロール面上に付箋紙を載せて搬送する搬送ローラーであって、（ｂ）ロール面が難粘着性の構造を有することを特徴とする。
【０００７】
上記搬送ローラーによれば、ローラー本体のロール面において、付箋紙の糊付け部分に対して難粘着性の構造を有するため搬送に際して付箋紙の糊付け部分が露出した状態となっても当該付箋紙が貼り付いて搬送ローラー周辺の装置内等に巻き込まれることを防ぐことができる。
【０００８】
本発明のさらに別の側面では、ローラー本体のロール面は、付箋紙の糊付け部分の粘着力が当該付箋紙の撓み剛性よりも小さくなるようにすることを特徴とする。この場合、ローラー本体のロール面において付箋紙の付着が生じても、付箋紙を送り出す際の付箋紙の剛性に負けるため、糊付け部分をロール面から確実に離間させることができる。
【０００９】
本発明のさらに別の側面では、ローラー本体のロール面は、難粘着性コート剤による表面処理が施されていることを特徴とする。この場合、糊付け部分のロール面からの離間性を十分に高めることができる。
【００１０】
本発明のさらに別の側面では、ローラー本体のロール面が、凹凸形状を有することを特徴とする。この場合、ロール面に凹凸形状を有することで、ロール面のうち糊付け部分と直接接触する接触部分の面積を小さくして糊付け部分との接着力を十分に弱めることができる。
【００１１】
本発明のさらに別の側面では、ローラー本体のロール面が、シリコーンゴムで形成されることを特徴とする。この場合、ロール面は、糊付け部分と接触しても比較的剥離しやすくなる。
【００１２】
上記課題を解決するため、本発明に係る付箋紙供給装置は、（ａ）付箋紙束を着脱自在に保持する付箋紙ホルダーと、（ｂ）付箋紙ホルダーの付箋紙束から付箋紙を分離して搬送する上記いずれかに記載の搬送ローラーと、を備えることを特徴とする。この場合、上記いずれかの搬送ローラーを有することで、付箋紙供給装置において、搬送ローラーによる付箋紙の搬送時に、付箋紙が貼り付いて意図しない部分に巻き込まれることを防ぐことができる。
【００１３】
上記課題を解決するため、本発明に係る付箋紙プリンターは、（ａ）上記付箋紙供給装置と、（ｂ）付箋紙供給装置から供給される付箋紙に印刷を行う付箋紙印刷装置と、を備えることを特徴とする。この場合、上記いずれかの搬送ローラーを有することで、付箋紙プリンターにおいて、搬送ローラーによる付箋紙の搬送時に、付箋紙が貼り付いて意図しない部分に巻き込まれることを防ぐことができる。
【図面の簡単な説明】
【００１４】
【図１】第１実施形態に係る付箋紙プリンターの全体斜視図である。
【図２】付箋紙プリンターの内部の構造を示す平面図である。
【図３】付箋紙プリンターの内部の構造を示す斜視図である。
【図４】（Ａ）、（Ｂ）は、付箋紙束及び付箋紙の裏面を示す平面図である。（Ｃ）は、搬送ローラーのローラー本体について説明するための斜視図である。
【図５】（Ａ）〜（Ｈ）は、第１実施形態に係る搬送ローラーの一連の動作を説明するための図である。
【図６】（Ａ）、（Ｂ）は、搬送ローラーのローラー本体の変形例について説明するための斜視図である。
【図７】第２実施形態に係る付箋紙プリンターの全体斜視図である。
【図８】付箋紙プリンターの内部の構造を示す平面図である。
【図９】（Ａ）〜（Ｇ）は、第１実施形態に係る搬送ローラーの一連の動作を説明するための図である。
【発明を実施するための形態】
【００１５】
〔第１実施形態〕
以下、図面を参照して、第１実施形態に係る搬送ローラー、搬送ローラーを含む付箋紙供給装置及び付箋紙供給装置を含む付箋紙プリンターについて詳細に説明する。
【００１６】
〔Ａ．付箋紙プリンターの構造の概要〕
図１等に示す本実施形態に係る付箋紙プリンター１は、例えばパーソナルコンピュータ（以下、パソコン）と接続して、パソコンで作成し選択した文字、図形、Ｅメールの内容などの各種データを付箋紙に印刷するものである。このため、付箋紙プリンター１は、図１に示すように、インターフェイス部ＩＦによりパソコンと接続可能となっており、付箋紙プリンター１に内蔵された制御部５０は、パソコンからの制御信号を受け付け、この制御信号に基づいて、制御部５０とともに内蔵されるサーマルヘッド２８や駆動モーター５１等（図２参照）の動作を制御している。
【００１７】
図１〜３に示すように、この付箋紙プリンター１は、装置ケース２により外郭を形成したプリンター本体３と、プリンター本体３にセットした印刷対象物となる付箋紙束４とで構成されている。付箋紙束４は、図４（Ａ）及び４（Ｂ）に示す多数枚の合同形状の付箋紙４ａを、それらの同じ位置である裏面基端側の一部分を糊付けして積層したものである。付箋紙４ａは、付箋紙束４から一枚ずつ剥離可能に構成されているとともに、剥離後に、付箋紙４ａの裏面ＲＳのうち糊付けされている糊付け部分４ｂを介して、紙などの被着体に対し再貼着可能に構成されている。なお、ここで、付箋紙４ａの裏面ＲＳのうち糊付け部分４ｂ以外の糊付けされていない部分を非糊付け部分４ｃとする。
【００１８】
図１に戻って、装置ケース２は、全体として小型に形成され、下面には付箋紙束４をケース内部に下方から導入するための付箋紙導入開口５と、前面中央には印刷済みの付箋紙４ａをケース外部に送り出すための水平スリット状の付箋紙排出口６とが形成されている。また、装置ケース２の上面には、インクリボンRが収容されたリボンカートリッジ８（図３参照）を装着すると共に、メンテナンスのための開閉蓋7が開閉自在に取り付けられている。
【００１９】
この付箋紙プリンター１は、付箋紙導入開口５から内部に導入しセットした付箋紙束４から、最上位の付箋紙４ａを一枚ずつ捲り上げ、これを糊付け部分４ｂから引き剥がしながら付箋紙印刷装置１２へ送るとともに、これにインクリボンＲを介して印刷を行い、付箋紙排出口６から印刷面を上にした状態で排出する。
【００２０】
図２に示すように、プリンター本体３の装置ケース２の内部には、付箋紙束４をセットする付箋紙ホルダー１１と、付箋紙ホルダー１１に対峙して上方に位置し付箋紙４ａに印刷を行う付箋紙印刷装置１２と、後述するピックアップローラー５２の回転により付箋紙ホルダー１１に保持された付箋紙束４から付箋紙４ａを一枚ずつ捲り上げ且つ引き剥がすとともに、付箋紙印刷装置１２に付箋紙４ａを送りこれを付箋紙排出口６から排出する付箋紙供給装置１３とが支持されている。
【００２１】
付箋紙ホルダー１１は、付箋紙束４を水平に載置する方形のセットステージ２１と、セットステージ２１を上下方向にスライド自在に案内する導入ガイド２２と、付勢部材２４を介してセットステージ２１を下側から支持する蓋体２３とで構成されている。蓋体２３は、導入ガイド２２にセットステージ２１を挿入した後、導入ガイド２２の下面に固定され、且つこの状態で付箋紙導入開口５を閉塞する。
【００２２】
導入ガイド２２は、セットステージ２１にセットされた付箋紙束４の長手方向前後を位置決めする。なお、導入ガイド２２の左右の両側面には、サブフレーム１５に形成された４個所の支持係合孔１８に対応する４つの係合突起３９が形成され、これにより、付箋紙束４がセットされた付箋紙ホルダー１１が装置ケース２内部に固定される。
【００２３】
導入ガイド２２の上側開口の前後には、付箋紙束４の前端部（自由端側）および後端部（糊付け部分４ｂ側）を相対的に押さえる一対の位置規制部２６が形成されている。すなわち、位置規制部２６は、セットステージ２１との間で付箋紙束４を挟持し、最上位の付箋紙４ａが常に定位置にあるように位置規制をしている。
【００２４】
セットステージ２１と蓋体２３との間には、付勢部材２４が配置されており、付勢部材２４は、セットステージ２１等の四隅に両端で固定された４つの加圧ばね２４ａで構成されている。この４つの加圧ばね２４ａにより、蓋体２３を受けとしてセットステージ２１が上方にバランスよく付勢されている。このため、付箋紙束４は、付箋紙４ａが１枚ずつ送り出され目減りしても、その最上位に位置する付箋紙４ａの高さレベルは、常に定位置を維持する。
【００２５】
付箋紙印刷装置１２は、図２及び３に示すように、装置ケース２内部のメインフレーム１４に固定された部分フレーム２７と、部分フレーム２７に一体的に固定したサーマルヘッド２８と、上記のリボンカートリッジ８のインクリボンＲを巻き取るリボン巻取機構２９とを有している。サーマルヘッド２８は、ヘッド本体３０と、ヘッド本体３０を支持するヘッドホルダー３１（図３参照）とで構成されている。リボン巻取り軸４０と、後述するピックアップローラー５２とは、連動して、ピックアップローラー５２とサーマルヘッド２８との間に挟持されたインクリボンＲと付箋紙４ａとを同方向に搬送させ、これにより、文字等が付箋紙４ａに印刷される。
【００２６】
以下、印刷のための準備について説明する。まず、付箋紙プリンター１とパソコン（不図示）とをＵＳＢあるいはケーブルであるインターフェイス部ＩＦ（図１参照）を介して相互に接続する。これにより、付箋紙プリンター１は、パソコンと通信接続状態となる。次に、付箋紙束４をセット板２５で位置決めしてセットステージ２１に載せ、付箋紙プリンター１の装置ケース２内部にセットする。また、開閉蓋７を開閉操作して、リボンカートリッジ８を装着する。このとき、リボンカートリッジ８のヘッド開口をサーマルヘッド２８に案内し、且つリボン巻取リール４９がリボン巻取軸４０に係合する。これにより、付箋紙プリンター１は、印刷待機状態となる。
【００２７】
次に、付箋紙供給装置１３について説明する。付箋紙供給装置１３は、駆動源となる駆動モーター５１と、上記のピックアップローラー５２と、駆動モーター５１からピックアップローラー５２に回転動力を伝達する減速ギヤ列５３と、ピックアップローラー５２を回転自在に保持しこれを上下動させるピックアップユニット５４とを備えている。
【００２８】
駆動モーター５１は、メインフレーム１４の後部に支持されている。駆動モーター５１の出力軸には、ウォームギヤ５７と、ウォームギヤ５７の先端側に位置するパルス円板５８とが固定されている。このパルス円板５８と駆動モーター５１側に固定されたフォトインタラプター５９とでエンコーダーが構成され、このエンコーダーの検出するパルス信号に基づいて、サーマルヘッド２８の発熱駆動を制御している。
【００２９】
図３に示すように、搬送ローラーとしてのピックアップローラー５２は、上側から付箋紙束４の先端側（自由端側）に臨んでおり、両端部をピックアップユニット５４に支持されるローラー軸６１と、ローラー軸６１に回転自在に装着されて付箋紙４ａに直接接触するローラー本体６２と、ローラー軸６１の反対側に設けられてローラー本体６２と一体回転するローラーギヤ６３（図２参照）とで構成されている。ここで、ローラー軸６１は、サーマルヘッド２８と平行に延在し、ピックアップユニット５４に両持ちで支持されている。ローラー本体６２は、ローラー軸６１の一方の半部に寄せて配設され、ローラー軸６１に回転自在に装着した樹脂性のコア部６４と、コア部６４の外周面に巻装したゴムロール６５とで構成されている。
【００３０】
ローラー本体６２のうちゴムロール６５は難粘着性コート剤により表面処理がされており、例えば図４（Ｃ）に示すように、付箋紙４ａに直接接触する接触部分６５ｂを含む表面としてのロール面６５ａの全面において、フッ素系コート剤による表面処理が施されたものとなっている。これにより、ロール面６５ａは、糊付け部分４ｂとの離間性を高められた状態となっており、付箋紙４ａの糊付け部分４ｂと接触しても比較的剥離しやすくなっている。この場合、ピックアップローラー５２は、付箋紙４の裏面ＲＳをロール面６５ａ上に接触させた状態で送り出す搬送ローラーとして、粘着性のある糊付け部分４ｂと粘着性のない非糊付け部分４ｃとのいずれの部分においても滑らかに送り出しができる。従って、ピックアップローラー５２における搬送時に、付箋紙４ａが貼り付いて付箋紙プリンター１内の意図しない部分（例えば、サブフレーム１５や導入ガイド２２等）に巻き込まれることを防ぐことができる。
【００３１】
なお、上記ピックアップローラー５２は、付箋紙４ａを搬送する機能だけでなく、付箋紙４ａに転接してこれを捲り上げる機能と、サーマルヘッド２８と協働することによるプラテンローラーの機能とを併せ持つ。このため、ピックアップローラー５２におけるゴムロール６５のロール面６５ａは、付箋紙４ａの表面との関係において、付箋紙４ａを捲り上げる動作等を行うのに必要となるだけの摩擦を生じるものとなっている。また、このピックアップローラー５２は、プラテンローラーの機能を有するため、ロール面６５ａの表面処理層については、印刷動作に影響を及ぼさないように、例えばフッ素系コート剤の厚みが略均一な状態に保たれている。
【００３２】
上記では、ゴムロール６５のロール面６５ａ全面にフッ素系コート剤による表面処理を施すものとしているが、ロール面６５ａのうち、少なくとも付箋紙４ａに直接接触する接触部分６５ｂにおいて表面処理が施されていれば、付箋紙４ａが貼り付くことを防止できる。つまり、ロール面６５ａのうち、軸方向の局所的範囲内に表面処理が施されていればよい。なお、上記では、難粘着性コート剤の一例としてフッ素系コート剤を用いているが、使用する付箋紙の粘着剤種や、加工性、耐久性、コスト等から、テフロン（登録商標）系、シリコーン系等を含め適宜選択することも可能である。
【００３３】
図２に示すピックアップローラー５２のうちのローラーギヤ６３は、ローラー本体６２のコア部６４と一体に形成されている。ローラーギヤ６３が駆動モーター５１から減速ギヤ列５３を介して回転動力を伝達されることで、ピックアップローラー５２のローラー本体６２は、図２において反時計周りに回転駆動する。
【００３４】
減速ギヤ列５３は、小伝達ギヤ６６（ウォームホイールと小平歯車）と、中伝達ギヤ６７と、入力ギヤ６８とで構成され、これら各ギヤのピン軸は、メインフレーム１４に片持ちで固定されている。駆動モーター５１の動力は、ウォームギヤ５７、小伝達ギヤ６６、中伝達ギヤ６７、入力ギヤ６８の順で伝達され、ローラーギヤ６３を介してピックアップローラー５２のローラー本体６２を回転させる。
【００３５】
なお、入力ギヤ６８のメインフレーム１４側の端面には、カム機構（不図示）が、入力ギヤ６８に重なるように配設されている。カム機構は、入力ギヤ６８の回転動作を、ピックアップユニット５４の動作に変換するものである。
【００３６】
ピックアップユニット５４は、先端部にピックアップローラー５２のローラー本体６２を回転自在に両持ちで保持するとともに、基端部を中心に回動自在に構成された一対の回動アーム７０と、ピックアップローラー５２を逃げて一対の回動アーム７０の先端部を一体に連結する連結アーム７１とで構成されている。一対の回動アーム７０は、メインフレーム１４の軸部５５に回動自在に支持されたピックアップアーム７２と、サブフレーム１５の上端軸部１９に回動自在に支持されたもう一方のピックアップアーム７３とで構成されている。
【００３７】
各アーム７２，７３とローラー軸６１とには、ローラー軸６１（ピックアップローラー５２）を上方に付勢する支持ばね７５が介設されている。ピックアップローラー５２は、ピックアップユニット５４に対し相対的に僅かに移動自在に支持され、これによりサーマルヘッド２８を突当て方向に弾性的に押圧することができるようになっている。また、入力ギヤ６８に付随するカム機構（不図示）がピックアップアーム７２に作動することで、ピックアップアーム７２，７３は、回転方向に動力を伝達されて回動動作する。すなわち、ピックアップアーム７２が、回動動作すると、ピックアップローラー５２が、平行水平姿勢を保って回動動作、すなわち上下動することとなる。
【００３８】
〔Ｂ．搬送ローラーの動作の概要〕
以下、搬送ローラーであるピックアップローラー５２の一連の動作について図５（Ａ）〜５（Ｈ）を参照して説明する。まず、図５（Ａ）に示すように、印刷待機状態において、ピックアップローラー５２は、付箋紙束４の最上位の付箋紙４ａの表面に所定以上の圧力で押圧されている。次に、図５（Ｂ）に示すように、ピックアップローラー５２は、駆動回転し始めて付箋紙捲り上げ動作を開始すると、最上位の付箋紙４ａ（の自由端側）のみ、先端側の位置規制部２６から引き出され、その長手方向の中間部が次第に上方へと湾曲するように撓んでゆく。
【００３９】
次に、図５（Ｃ）に示すように、ピックアップローラー５２を回転させながら付箋紙束４から離間させると、付箋紙４ａの先端がピックアップローラー５２の下側を通過した直後に、付箋紙４ａは、その上側に撥ね上げられ、ピックアップローラー５２に乗り上げる。
【００４０】
付箋紙４ａを載せたピックアップローラー５２は、図５（Ｄ）に示すように、印刷位置に自転および公転しながら移動し、図５（Ｅ）に示すように、サーマルヘッド２８およびガイドローラー３２との間に付箋紙４ａを挟持する。これと同時に、付箋紙印刷装置１２が動作状態となる。そして、図５（Ｆ）に示すように、ピックアップローラー５２は付箋紙４ａを、その糊付け部分４ｂから引き剥がすように送り出しながら、サーマルヘッド２８と協働して印刷を行う。
【００４１】
図５（Ｇ）に示すように、印刷途中で完全に引き剥がされた付箋紙４ａは、さらにピックアップローラー５２およびガイドローラー３２により、その印刷済み部分から付箋紙排出口６に向かって送り出されてゆく。印刷を完了した付箋紙４ａが付箋紙排出口６から外部に送り出されると、図５（Ｈ）に示すように、次のタイミングでピックアップローラー５２は、印刷位置から印刷待機状態に戻る。
【００４２】
以上の動作において、付箋紙４ａがピックアップローラー５２およびガイドローラー３２により送り出される際、付箋紙４ａの糊付け部分４ｂを有する側の面である裏面ＲＳにおいて、糊付け部分４ｂとピックアップローラー５２のロール面６５ａとが接触した状態となる。この時、ピックアップローラー５２のロール面６５ａと付箋紙４ａの糊付け部分４ｂとの接触部分６５ｂをフッ素系コート剤による表面処理を施すことにより、糊付け部分４ｂの接触部分６５ｂからの離間性を高めることができる。より具体的には、接触部分６５ｂにおける糊付け部分４ｂとの粘着力が、付箋紙４ａの撓み剛性よりも小さいようにしている。これにより、付箋紙４ａを送り出す際に、糊付け部分４ｂにおける付着力が付箋紙４ａの剛性に負けて糊付け部分４ｂがロール面６５ａから離間するようになっている。以上によって、ピックアップローラー５２に、付箋紙４ａが貼り付いて付箋紙プリンター１内の意図しない部分（例えば、サブフレーム１５や導入ガイド２２等）に巻き込まれることを防ぐことができる。
【００４３】
また、ピックアップローラー５２に付箋紙４ａが貼り付いて付箋紙プリンター１内部に巻き込まれるのを防止するには、上記のほかにも、種々の変形例が考えられる。
【００４４】
まず、例えば図６（Ａ）に示すように、ロール面６５ａにおいて非常に細かな梨地状の凹凸形状を設けたり、図６（Ｂ）に示すように、一定の方向に細かく切られた多数の溝ＧＴを形成したりすることで、接触部分６５ｂの面積を小さくして、接触部分６５ｂと糊付け部分４ｂとの粘着力をさらに弱めるものとしてもよい。なお、凹凸形状を設ける場合、凹凸の大きさや深さ等については、印刷動作に影響を及ぼさない程度のものとする。
【００４５】
また、上記ゴムロール６５の材料には、例えば通常のシリコーンゴム等を用いることができるが、ゴムロール６５の材料として、糊付け部分４ｂと接触しても比較的剥離しやすい難粘着性のシリコーンゴムを用いてもよい。この場合、ロール面６５ａにフッ素系コート剤による表面処理を施さず、当該シリコーンゴムを露出した状態とすることができる。なお、ロール面６５ａに凹凸形状を設けるか否かについては、用いるシリコーンゴムの糊付け部分４ｂとの粘着性に応じて適宜決めればよい。
【００４６】
また、例えば、図６（Ａ）に示す梨地等の凹凸形状を有することで、当該シリコーンゴムのうち接触部分６５ｂとして露出する面積を小さくして、糊付け部分４ｂとの粘着性を十分に抑えるようにしてもよい。
【００４７】
なお、上記実施形態では、モーター駆動による回転動作を、機械的機構により、図５（Ａ）等に示すようなピックアップローラー５２を動作させているが、ピックアップローラー５２の動作は、電子的な制御により行うものとしてもよい。この場合、図１の制御部５０からの制御信号により上記と同等の動作をピックアップローラー５２に行わせることも可能である。
【００４８】
〔第２実施形態〕
次に、第２実施形態に係る搬送ローラーを有する付箋紙プリンターについて、図７等を参照して説明する。本実施形態では、搬送ローラーであるピックアップローラー５２は、プラテンローラーを兼ねるものでなく、主として、付箋紙４ａに対し捲り上げ、引き剥がし、および送りを行い、別に設けたプラテンローラー１３２に付箋紙４ａを送り渡す構成としたものである。また、付箋紙４ａの空送りが可能となっている。つまり、本実施形態の付箋紙プリンターは、付箋紙４ａに印刷を行わない単なるディスペンサーとしても機能する。なお、本実施形態では、ピックアップローラー５２の動作は、ピックアップローラー５２を動作させる駆動機構（不図示）を制御部５０による電子的な制御により行うものとしている。
【００４９】
図７及び８に示すように、本実施形態の付箋紙プリンター１０１は、付箋紙ホルダー１１と、プラテンローラー１３２を備える付箋紙印刷装置１２と、ピックアップローラー５２を備える付箋紙供給装置１３とに加え、手動操作レバー８５によりプラテンローラー１３２をサーマルヘッド２８に離接させる離接手段９０とを備える。また、付箋紙プリンター１は、サーマルヘッド２８からプラテンローラー１３２が離間したことを検出する検出センサー（検出手段）９６を備える。
【００５０】
離接手段９０は、プラテンローラー１３２を印刷位置ＰＰと離間位置ＥＰとの間で離接すなわち変位させるための手動操作レバー８５と、手動操作レバー８５に連なりプラテンローラー１３２を支持する支持部材８６とで「Ｌ」字状に形成されており、支持部材８６の基端部は、装置ケース２に固定された回転支軸８７により、回動自在に軸支されている。
【００５１】
支持部材８６は、印刷待機状態において、プラテンローラー１３２を印刷位置ＰＰに臨ませるべく、戻しバネ（不図示）により時計方向に回転する付勢力を受けて引き上げられている。手動操作レバー８５は、支持部材８６の先端部に上方に向けて延在するように設けられたレバー本体９１と、レバー本体９１の上端面に設けた操作ボタン部９２とで構成されている。ユーザにより、操作ボタン部９２が押下されると、支持部材８６は、回転支軸８７を中心に反時計方向に回動して押し下げられ、プラテンローラー１３２が印刷位置ＰＰから離間位置ＥＰまで移動し、不図示のロック部材によって係止される（図９（Ｂ）参照）。そして、回動アーム７０が挟持位置４５からピックアップ位置４４へ戻ってくると、上記ロック部材が解除されて戻しバネが作用してプラテンローラー１３２は印刷位置ＰＰへ移動する。
【００５２】
検出センサー９６は、支持部材８６の下方に設けられており、マイクロスイッチで構成されている。手動操作レバー８５を介して支持部材８６を下方へ移動させると、支持部材８６の下端面が検出センサー９６の先端に接触して、プラテンローラー１３２が離間位置ＥＰへ移動したことを検出する。また、制御部５０は、検出センサー９６によりプラテンローラー１３２が離間位置ＥＰへ移動したことを検知すると、付箋紙印刷装置１２を駆動させず、付箋紙供給装置１３のみを駆動させる。このため、付箋紙供給装置１３により引き剥がした付箋紙４ａに対し、印刷を行うことなく、付箋紙４ａを搬送することになる。
【００５３】
以下、図９（Ａ）〜９（Ｇ）を参照して、付箋紙４ａの空送りに関する一連の動作について説明する。まず、図９（Ａ）に示すように、印刷待機状態において、ピックアップローラー５２は、付箋紙束４の最上位の付箋紙４ａの表面に押圧されている。次に、図９（Ｂ）に示すように、ユーザが手動操作レバー８５を押し下げて、検出センサー９６によりプラテンローラー１３２が離間位置ＥＰに移動すると、ピックアップローラー５２は、回転して付箋紙４ａの捲り上げ動作を開始する。なお、制御部５０は、手動操作レバー８５の押下に連動して、リボン巻取り軸４０への動力を遮断させる。次に、図９（Ｃ）に示すように、ピックアップローラー５２の回転力により、付箋紙４ａの自由端部がピックアップローラー５２に乗り上げる。さらに、図９（Ｄ）に示すように、付箋紙４ａを載せたピックアップローラー５２は、挟持位置４５に移動し、従動ローラー１３３との間に付箋紙４ａを挟持すると、捲り上げた付箋紙４ａを付箋紙束４から引き剥がす。図９（Ｅ）に示すように、引き剥がされた付箋紙４ａは、ピックアップローラー５２およびプラテンローラー１３２により付箋紙排出口６に向かって搬送されてゆく。そして、図９（Ｆ）に示すように、付箋紙４ａの糊付け部分４ｂがプラテンローラー１３２に達したところで、図９（Ｇ）に示すように、ピックアップローラー５２は、挟持位置４５からピックアップ位置４４に移動する。これとともに、プラテンローラー１３２が印刷位置ＰＰに臨み、付箋紙４ａの糊付け部を挟持する。この後、ユーザが付箋紙排出口６に排紙された付箋紙４ａを取り去ることで、空送りされた付箋紙４ａを得ることが可能となる。
【００５４】
本実施形態の付箋紙プリンター１０１においても、付箋紙供給装置１３の搬送ローラーであるピックアップローラー５２のロール面６５ａに、フッ素系コート剤による表面処理がなされている。これにより、ロール面６５ａが糊付け部分４ｂに接触している場合と、非糊付け部分４ｃに接触している場合とのいずれにおいても、付箋紙４ａを送り出す状態に差異が生じないため、付箋紙４ａが引き剥がされ糊付け部分４ｂが露出した状態となっても、付箋紙４ａがピックアップローラー５２に貼り付いて付箋紙プリンター１０１内に巻き込まれることを防ぐことができる。さらに、本実施形態では、ピックアップローラー５２とは別の搬送ローラーであるプラテンローラー１３２も糊付け部分４ｂに接触している。従って、プラテンローラー１３２のロール面１３２ａについても、フッ素系コート剤による表面処理と同様の処理を施すこともできる。これにより、糊付け部分４ｂとの粘着力を比較的弱くして、付箋紙４ａがプラテンローラー１３２に貼り付いて付箋紙プリンター１０１内に巻き込まれることを防ぐことができる。なお、この場合、例えば図９（Ｇ）の状態において、プラテンローラー１３２がサーマルヘッド２８とともに付箋紙４ａ脱落を防ぐ程度の力で挟持するものとすればよい。
【００５５】
また、上記ロール面６５ａ，１３２ａにおいて、フッ素系コート剤による表面処理のほか、図６（Ａ）に示す凹凸形状を設けることや、ゴムロール６５の材料として難粘着性のシリコーンゴムを用いること等によって、接触部分６５ｂと糊付け部分４ｂとの粘着力を弱めるものとしてもよい。
【００５６】
〔その他、変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００５７】
上記実施形態において、ピックアップローラー５２による付箋紙４ａの重ね捲りを防止するため、ピックアップローラー５２を、転接する付箋紙４ａが僅かに撓んだ直後に、付箋紙束４に対しその糊付け部分４ｂ側に向かって移動させながら離間させてもよい。あるいは、ピックアップローラー５２が付箋紙４ａを撥ね上げた直後に、駆動モーター５１の駆動を停止させ、ピックアップローラー５２の回転を一旦停止させるようにしてもよい。
【００５８】
また、付箋紙印刷装置１２に設けたガイドローラー３２は、ピックアップローラー５２とサーマルヘッド２８との間で、付箋紙４ａを引き剥がして送り出すことができる十分な摩擦力を奏させることで省略してもよい。また、付箋紙４ａを感熱式のものとして構成し、リボンカートリッジ８を不要とする構成にしてもよい。
【００５９】
また、上記実施形態では、パソコンと接続して、印刷動作を行うものとしているが、付箋紙プリンター１，１０１に印刷データの作成・編集機能や各部の制御機能を設け、付箋紙プリンター１，１０１を単体として用いて、付箋紙４ａに対する印刷を行うようにしてもよい。
【００６０】
また、上記実施形態では、付箋紙ホルダー１１を下方に設けた付箋紙導入開口５から導入しているが、下方からではなく、付箋紙排出口６側即ち正面から付箋紙ホルダー１１を引き出すようにしてもよい。
【符号の説明】
【００６１】
１、１０１…  付箋紙プリンター、  ２…装置ケース、  ３…プリンター本体、  ４…付箋紙束、  ４ａ…付箋紙、  ４ｂ…糊付け部分、  ４ｃ…非糊付け部分、  １１…付箋紙ホルダー、  １２…付箋紙印刷装置、  １３…付箋紙供給装置、  ２４…付勢部材、  ２８…サーマルヘッド、  ５２…ピックアップローラー、  ６１…ローラー軸、  ６２…ローラー本体、  ６５…ゴムロール、  ６５ａ…ロール面、  ６５ｂ…接触部分
【図１】
2011184117.tif 000003
【図２】
2011184117.tif 000004
【図３】
2011184117.tif 000005
【図４】
2011184117.tif 000006
【図５】
2011184117.tif 000007
【図６】
2011184117.tif 000008
【図７】
2011184117.tif 000009
【図８】
2011184117.tif 000010
【図９】
2011184117.tif 000011